Podtech/llm-jp-corpus-v4-ja_patent huggingface dataset:
(57)【要約】【課題】一般に普及している家庭用和式浴槽は背中に当たる部分が直角型でリラックス状態が得られ難い。クッションを使えばよいと思うが、その材質は？形は？などを課題とした。【解決手段】水を透さず柔軟性があり適当なザラつきを持ち４０度前後の湯熱にも耐える素材で袋を造り、取水・放水口から温水を入れ二重チャック、クリップなどで密閉して浴槽内に浸して使用する温水クッションを解決の手段とした。袋が必要以上に膨らまず適切な形を保つよう数条の隔壁を設け、さらに浴槽面に密着安定させる手段として本体背面に吸盤をつけた。【選択図】　　　　図４
2004041643.tif 000002
【特許請求の範囲】
【請求項１】
表面に適度のザラつきがあり水を透さない柔軟な素材を用い、二重チャックなど安全弁を付けた取水・放水口および内部に膨らみ制限と形を整える目的の数条の隔壁、さらに浴槽壁面に吸着安定させる吸盤を裏面に装着させた浴槽内で使用する温水クッション。
【発明の詳細な説明】
【０００１】
【発明の属する技術分野】
柔軟性があり４０度前後の湯熱に耐え表面に適度なザラつきのある素材は肌に適度の刺激を与えると共に滑り止めの役もし、水量を制限すると同時に形を整える数条の隔壁をつけた本体内に温水を注入し二重チャック、安全クリップなどで密閉し本体背面に装着した吸盤で浴槽壁面に安定させて使用する温水クッション。
【０００２】
【従来の技術】
多くの和式浴槽は合成樹脂プレス加工品の直角四辺形で肩の当たる平面部分は体にフィットしないうえ表面は滑らかである。木製浴槽も同じで、たとえ楕円形であっても必ずしもぴったりとは体に合わない。クッションでこの欠陥を補おうとしても既製品では詰め物が影響を受けたり溶出したりして適当ではない。防水式のものでも厚みの加減は簡単にはできない。
【０００３】
【発明が解決しようとする課題】
風呂は単に身体を沈めて温まるだけのものではなくゆったりとリラックスする場所でありたい。そこでどうすれば体がゆったりとできるかを課題とし、さらに背中など肌に適度な刺激を与えてくれる素材はないか検討した。背中にフィットする物はクッションだが既製のものは綿その他の物質を詰めてあり浴槽内に押し込むには不適当である。空気袋は浮いてしまって用を成さない。またどんなクッションでも浴槽内に入れれば前後左右に移動して安定してくれない。これらを改良するにはどうするかを課題として検討した。
【０００４】
【解決するための手段】
浴槽を改造するのは困難でありクッションで補うには詰物が問題である。試行錯誤の末最も手近な湯に着目し、水を透さない素材で袋を造って中に温水を入れる手段を試みた。加熱式浴槽の場合は、きれいな水なら何度でも再使用できるし給湯式なら毎回中身を取り替えれば同温度が保てる、と考え、肌に適度な刺激を与えるため適度なザラつきのある素材を選び二重チャック、クリップなどで密閉することにした。しかし注水すると袋は存分に膨れ上がる上、水は袋内を自由に移動して安定した形を取ってくれない。そこで、表裏二枚の部分接着による数条の隔壁を設けて膨らみを制限し、クッションとしての形を整えさせる手段とした。クッションを浴槽壁面に安定させるためには吸盤を装着させた。
【０００５】
【発明の実施の形態】
発明の実施の形態について図面をもって説明する。
図１は一般的な家庭用和式浴槽に浸った大人の図で、腰から背中に至る部分が何物にも触れていないことを示す。図２は背中を無理やり直角面に当てた状態。図３は浴槽に温水クッションを入れたところ。図４はクッションによりゆったりと入浴している状態を示す。図５はクッションの裏面図で、４は取水・放水口、５は二重チャック、クリップなどの安全弁、６は隔壁。図６は水を入れたときの隔壁のない部分ＡＡ’（ＣＣ’）の断面図。図７はＢＢ’部分の断面図で６は温水を入れたときに袋を適当な厚みに保たせるために素材に施した数条の隔壁部分。８の吸盤は浴槽壁面に吸着し、クッションを適度な位置に安定させるためのもの。
【０００６】
【発明の効果】
本発明は、上述のように構成されているので、次に記載する効果を奏する。
数条の隔壁はクッションを適度な厚みに整形する効果を発揮し、二重チャック、クリップなどの安全弁で漏水を防止して浴槽に沈めて置けばクッション内の水は湯と同温度を保つので常時使用でき、素材のザラつきは背中など肌に適度な刺激を与えるほか滑り止めの役もする。吸盤は入浴者の体格に合わせてクッションの位置を安定させてくれた。
【図面の簡単な説明】
【図１】一般に普及している和式浴槽に大人が肩まで沈んだ様子の図で、腰から肩に至る部分に隙間ができることを示した。
【図２】背中を浴槽の直角面に当てたところで、肩が湯面から出る様子を示す。
【図３】浴槽に温水クッションを入れたところ。
【図４】図１の姿勢で温水クッションを使っているところを示す。
【図５】温水クッション本体裏面図。
【図６】クッションに温水を入れたときのＡＡ’（ＣＣ’）部分の断面図。
【図７】隔壁により温水が仕切られたところを示すと同時に吸盤の位置を示すＢＢ’部分の断面図。
【符号の説明】
１　浴槽
２　入浴者
３　温水クッション
４　取水・放水口
５　二重チャック、クリップなどの安全弁
６　隔壁
７　温水
８　吸盤
ＡＡ’、ＢＢ’、ＣＣ’　各断面部分
【図１】
2004041643.tif 000003
【図２】
2004041643.tif 000004
【図３】
2004041643.tif 000005
【図４】
2004041643.tif 000006
【図５】
2004041643.tif 000007
【図６】
2004041643.tif 000008
【図７】
2004041643.tif 000009
(57)【要約】【課題】手動ブラシに於ける開発時の高額な初期投資を軽減し、既存の製造設備を用いて環境負荷の少ない多種多様なデザインの少量生産品を製造する仕組みを提供する。【解決手段】手動ブラシを軸部１、頭部２、本体３に分割し、それぞれを材質や製法を特定せずに製作し、一番早く傷むブラッシング機能を有する頭部２を規格化（標準部品化）すると共に、各部位の結合部には、互いに嵌合し、結合と分離が確実・容易に行える機能をもたせる。【選択図】　図１
2004041650.tif 000002
【特許請求の範囲】
【請求項１】
軸部１に、ブラッシング機能を有する頭部２とグリップ機能を有する本体３を確実・容易に結合させ、且つ分離も可能な構造を持つ、３つの部位で構成する手動ブラシの仕組み（図１）
【発明の詳細な説明】
【０００１】
【発明が属する技術分野】歯ブラシ、ボディーブラシ、キッチンブラシ、服ブラシ等々、生活道具である多種多様なデザインの少量生産品の手動ブラシを少ない初期投資で開発する仕組みとして、軸部１の両端にブラッシング機能を有する頭部２とグリップ機能を有する本体３をそれぞれ個別に結合させ構成する。
【０００２】
【従来の技術】従来型手動ブラシの多くは、（図２）で示す通り、軸部１と頭部２と本体３が一体で形成されている為、ブラシ全体が頭部２の材質や製法の制約を受けた大量生産型のものとなっている。
【０００３】その他の従来型手動ブラシには、軸部１と一体となった頭部２と本体３に分割された図３−Ａ．Ｂ．Ｃ．Ｄで示す様な２分割した着脱式のものや、それ以外に頭部２に於けるブラッシング機能を有する部位４（植毛部）のみを頭部２から分離し、この部位のみの交換を可能とする外国製品Ｅ等があるが、これらもやはり大量生産を前提とした仕様となっている。
特に、この外国製品Ｅは、頭部２に於けるブラッシング機能を有する部位４（植毛部分）の製法が新方式となっており、従来設備を用いた多種多様なデザインの少量生産方式を前提とはしていない。
【０００４】
【発明が解決しようとする課題】従来型手動ブラシの多くは、ブラッシング機能を有する頭部２と軸部１及び本体３が一体又は２分割で形成された単品完結型商品である為、新商品開発時毎にその都度高額な初期投資（金型費）が必要となると共に、ブラッシング機能を有する頭部１が傷むと、ブラシ全体を廃棄せざるを得ず、その為環境負荷が高く、経済的な面からも好ましくない。
【０００５】
以上の様な事から本発明は、商品開発時の高額な初期投資の軽減と、環境負荷を軽減した手動ブラシを、既存の製造設備を用いて提供する事を目的とする。
【０００６】
【課題を解決するための手段】本発明は、手動ブラシを構成する軸部１、頭部２、本体３の材質や製法を特定せずに制作し、これら個別に制作した軸部１、頭部２、本体３に、結合と分離を確実・容易に行える機能を持たせる。そしてその機能の構造は、軸部１の両端に頭部２及び本体３をそれぞれ個別に結合させる為の凸又は凹を軸部１の両端、頭部２、本体３に設ける。
具体的には、頭部２に軸部１の一端ｃに設けた凹ａと嵌合し結合させる凸ｂを設け、その結合の方法は（イ）凹と凸の嵌合による結合、（ロ）ねじによる結合、（ハ）前述の（イ）と（ロ）の併用による結合等、物理的（機械的）な方法を用いる。
また本体３にも軸部１のもう一方の先端ｄに設けた凹ｅと嵌合し、結合させる凸ｇを設け、軸部１と本体３を結合する。ただしここで云う凹と凸の関係は互いを結合させる手段を指し、単なる形状のみを指すのではない。又その結合の方法は前述した頭部２の結合方法と同じく、（イ）凹と凸の嵌合による結合、（ロ）ねじによる結合、（ハ）前述の（イ）と（ロ）の併用による結合等、物理的（機械的）結合の方法に加え、接着、溶着等の方法も含めたものとする。
【０００７】
【発明の実施の形態】添付図面中の参照符号を用いて以下に説明する。（図４）
例えば凹と凸で互いに結合させる方法を例に、頭部２と軸部１の結合について説明すると、頭部２に設けた凸ｂに、これに嵌合する形で設けた凹ａを有する軸部１の一端ｃを頭部２の凸ｂに嵌合する様に圧入すれば、頭部２の軸部挿入部内壁ｈ下部に設けた凸ｂが軸部１の先端に押されて下にたわみ、更に圧入すると凸ｂが復元し、軸部１の凹ａが頭部２の凸ｂと嵌合して結合が完了する。また上記の凹と凸の関係が逆の場合も同様である。
分離は、軸部１と頭部２を強引に抜脱する事で可能となる。
頭部２の交換は先ず頭部２を前述の方法で抜脱し、その後に新しい頭部２を前述と同様の方法で軸部１に圧入する。
尚、上記説明の凹と凸の関係は、結合と分離の具体的構造を指すのではなく、あくまでも結合と分離の手段を説明（例）したものである。
【０００８】本体３と軸部１との結合は、本体３の上部ｆに設けた凸ｇに軸部１のもう一方の先端ｄを圧入し嵌合させて結合する。軸部１の本体３からの抜け防止は（イ）凹と凸の嵌合による結合、（ロ）ねじを用いた方法による結合、（ハ）前述の（イ）と（ロ）を併用する方法などとする。
尚、上記説明の凹と凸の関係は、結合と分離の具体的構造を指すのではなく、あくまでも結合と分離の手段を説明（例）したのである。また凹と凸の関係が逆の場合も同様である。
【０００９】
【発明の効果】本発明は、手動ブラシのブラッシング機能を持つ頭部２を他の部位から分離し、規格化（標準部品化）する事で以下に示すような多様な効果が得られる。
（１）頭部２のみの金型は非常にコンパクトなものとなり、従って開発時の初期投資（金型費）も大幅な軽減が可能となる。
（２）軸部１と本体３は、頭部２の材質や製法に制約される事なく自在に材質や製法を選択でき、よって多種多様なデザインの少量生産品の開発が容易となる。
（３）多種多様なデザインの手動ブラシを構成する仕組みは、機能性以外の価値も付加した個性豊かな商品の開発を容易とし、この事により機能性重視の従来型手動ブラシ以外の新たな市場の開発が可能となる。
（４）頭部２のブラッシング機能が低下し交換が必要となった場合、交換部位は頭部２のみで良く、軸部１、本体３は継続使用でき環境負荷の少ないグリーン商品の提供が可能となる。又これは消費者が無駄な出費を抑制出来るという経済的な効果もある。
【図面の簡単な説明】
【図１】本発明の実施形態例である軸部１と頭部２と本体３を組み合わせた構成事例図である。
【図２】従来の手動ブラシの斜視図である。
【図３】分離・結合が可能な構造の従来型手動ブラシの参考事例図である。
【図４】本発明の実施形態例である軸部１と頭部２と本体３を組み合わせた構成事例のＡ−Ａ断面図である。
【符号の説明】
１　　　軸部
２　　　頭部
３　　　本体
４　　　植毛部
Ａ　　　差し込み式手動ブラシの参考事例Ａ
Ｂ　　　差し込み式手動ブラシの参考事例Ｂ
Ｃ　　　携帯用差し込み式手動ブラシの参考事例Ｃ
Ｄ　　　携帯用差し込み式手動ブラシの参考事例Ｄ
Ｅ　　　はめ込み式手動ブラシの参考事例Ｅ
ａ　　　軸部頭部側に設けた凹
ｂ　　　頭部の軸部挿入部内壁下部に設けた凸
ｃ　　　凹を有する軸部の頭部側先端
ｄ　　　凹を有する軸部の本体側先端
ｅ　　　軸部本体側に設けた凹
ｆ　　　本体の上部
ｇ　　　本体に設けた凸
ｈ　　　軸部挿入部内壁
【図１】
2004041650.tif 000003
【図２】
2004041650.tif 000004
【図３】
2004041650.tif 000005
【図４】
2004041650.tif 000006
(57)【要約】【課題】水洗い後の乾燥時間を短縮する。【解決手段】充電器３と、この充電器３から電源供給を受けて充電される二次電池を内蔵する電気かみそり１とからなる。電気かみそりの刃部２における金属製外刃に発熱を生じさせる電磁力を発するコイル３１を充電器側３に設ける。充電器３から供給される電磁力を利用して刃部２の乾燥を刃部２における金属製外刃自身の発熱で行う。【選択図】図１
2004041782.tif 000002
【特許請求の範囲】
【請求項１】
　充電器と、この充電器から電源供給を受けて充電される二次電池を内蔵する電気かみそりとからなり、電気かみそりの刃部における金属製外刃に発熱を生じさせる電磁力を発するコイルを充電器側に設けていることを特徴とする特徴とする充電式電気かみそり。
【発明の詳細な説明】
【技術分野】
【０００１】
　本発明は充電器とこの充電器から電源供給を受けて充電される二次電池を内蔵している電気かみそりとからなる充電式電気かみそりに関する。
【背景技術】
【０００２】
　電気かみそりでは髭屑や顔の脂分が刃に付着するが、これらはブラシなどによる清掃では除去が困難であり、また臭いも残りやすい。しかし水洗いが可能な電気かみそりでは、髭屑や脂分の除去を確実に行うことができ、電気かみそりを清潔に保つことが可能である。
【０００３】
　しかし、水洗いをした後の電気かみそりは、その刃部分に多くの水滴が付着したままとなるが、従来は自然乾燥させていたために、乾燥までに時間がかかるものとなっていた。
【発明の開示】
【発明が解決しようとする課題】
【０００４】
　本発明は上記の従来の問題点に鑑みて発明したものであって、水洗い後の乾燥時間を短縮することができる充電式電気かみそりを提供することを課題とするものである。
【課題を解決するための手段】
【０００５】
　上記課題を解決するために本発明に係る充電式電気かみそりは、充電器と、この充電器から電源供給を受けて充電される二次電池を内蔵する電気かみそりとからなり、電気かみそりの刃部における金属製外刃に発熱を生じさせる電磁力を発するコイルを充電器側に設けていることに特徴を有している。充電器から供給される電磁力を利用して刃部の乾燥を刃部における金属製外刃自身の発熱で行うようにしたものである。
【発明の効果】
【０００６】
　本発明は、充電器から供給される電磁力で刃部における金属製外刃自身が発熱して乾燥を行うことから、刃部の水洗い後の乾燥時間を短縮することができるものであり、また金属製外刃そのものが発熱するために、別途発熱部材を必要としないものである。
【発明を実施するための最良の形態】
【０００７】
　以下、本発明を添付図面に示す実施形態に基いて説明すると、図１に示す充電器３は、電気かみそりの充電と刃部の乾燥とで兼用するコイル３１を内蔵したもので、該コイル３１は発振回路３０に接続されているとともにコイル３１におけるコア３２の両端を上方に向けている。
【０００８】
　一方、上端に刃部２を備えた電気かみそり１はその内部に二次電池１０とモータ１１、二次側コイル１２を内蔵するとともにスイッチ１３を備えており、二次側コイル１２は下端底部に配されている。
【０００９】
　電気かみそり１の二次電池１０の充電にあたっては、図１(a)に示すように電気かみそり１を充電器３の上に置いて、内蔵する二次側コイル１２と充電器３の一次側のコイル３１とを近接させることで、両者間の電磁誘導結合により充電器３側から電気かみそり１に電力を伝達する。
【００１０】
　そして刃部２を水洗いした時には、図１(b)に示すように、電気かみそり１を上下逆さまにして充電器３の上におくのである。刃部２における金属製外刃は、充電器３のコイル３１が発する磁束が通過するために渦電流が発生して発熱することから、刃部２は自身が発する熱によって乾燥するものである。
【００１１】
　この時、充電器３側に電気かみそり１の刃部２の温度を検出する温度センサー５を設けておき、刃部２の温度が所定値以上になれば発振回路３０を停止させて刃部２の温度が高くなり過ぎないようにしておくことも好ましい。
【００１２】
　図２は、充電器３のハウジングの上面に電気かみそり１の下端部が嵌まる凹部３４を設けることで、二次電池１０の充電のための電力伝達にあたって一次側のコイル３１と二次側コイル１２との位置関係を所定の状態に保つことで、効率のよい電力伝達を行うことができるようにしたものを示している。
【００１３】
　また図３に示すのでは、上記凹部３４をコア３２の両端間に形成して、凹部３４に電気かみそり１の下端部をはめ込んだ時にコア３２の両端間に二次側コイル１２が位置するようにすることで、さらに効率のよい電力伝達を行うことができるようにしている。
【００１４】
　なお、図２及び図３に示す例においては、電気かみそり１を上下逆において刃部２を乾燥させる時、凹部３４に電気かみそり１が嵌まり込むことがないようにしているが、凹部３４または凹部３４に重複する形で設けた他の凹部（図示せず）に電気かみそり１の刃部２が嵌まり込むようにしてもよい。
【００１５】
　充電器３側のコイル３１が充電と乾燥とで兼用するものを示したが、充電用と発熱乾燥用とを設けたものであってもよい。
【００１６】
　充電器３のコイル３１は、図４に示すように電気かみそり１の下端側面に配した二次側コイル１２と対向する図示の位置に配してもよい。この場合、上下逆さまに置いた場合が充電、正立状態で置いた場合が刃部２の乾燥となる。図中４は保護キャップである。
【００１７】
　上記の各例においては、コイル３１及び二次側コイル１２にコアを備えたものを示したが、コアの無いものであってもよい。
【図面の簡単な説明】
【００１８】
【図１】本発明の実施の形態の一例を示すもので、(a)は充電時の概略断面図、(b)は発熱乾燥時の概略断面図である。
【図２】同上の他例を示すもので、(a)は充電時の概略断面図、(b)は発熱乾燥時の概略断面図である。
【図３】同上の更に他例を示すもので、(a)は充電時の概略断面図、(b)は発熱乾燥時の概略断面図である。
【図４】他の実施の形態の一例を示すもので、(a)は発熱乾燥時の概略断面図、(b)は充電時の概略断面図である。
【符号の説明】
【００１９】
　　１　電気かみそり
　　２　刃部
　　３　充電器
　３１　コイル
【図１】
2004041782.tif 000003
【図２】
2004041782.tif 000004
【図３】
2004041782.tif 000005
【図４】
2004041782.tif 000006
(57)【要約】【課題】　電力を使用しない水田の水位調整装置の提供する。【解決手段】用水路より12取入口を通じる入口室と、11放水口に通じる出口室との間を仕切り、入口室から出口室に至る溢水高さを変えるための2回転式開閉扉を内臓した水門部と、該水門部の後方に斜め角度のガイドを持つ4フロートにより溢水の変位を検出させ、設定水位が一致すれば、4フロート上部に取付けの3水位調整板で2回転式開閉扉を開閉し、水田の給水を制御することにより解決できる。　【選択図】　図３
2004041213.tif 000002
【特許請求の範囲】
【請求項１】
水田内に連通する取入口と、放水口に連通する出口室と、前記取入口と前記放水室との間を仕切り、前記取入口から前記放水室より水田の水位に至る溢水高さが調整可能である溢水手段と、該溢水手段に機械的に連結し前記溢水高さを斜め角度に上下するフロートにより信号として検出する位置検出と水門開閉手段を兼用し、前記検出した溢水高さが水位設定値に相当する溢水高さに達すると、前記開閉手段により作動させる回転式開閉扉とを有することを特徴とする水田の自動給水装置。　
【請求項２】
請求項1において、前記制御装置は斜め角度のガイドパイプに導かれたフロートにより制御され、前記水位設定値は水位調整金具の長さにより調整されることを特徴とする水田の自動給水装置。　
【請求項３】
請求項1において、前記駆動手段により作動させる水門に取付た回転式開閉扉とを有することを特徴とする水田の自動給水装置。　
【発明の詳細な説明】
【技術分野】
【０００１】
稲作の給水を自動で制御する水田の自動給水装置を提供する。
【背景技術】
【０００２】
水田水位調整装置はバッテリー・モーター・制御部により構成され電池電力により機械制御を目的とする設備
【特許文献１】特開平11-113431
【発明の開示】
【発明が解決しようとする課題】
【０００３】
従来の水田水位調整装置は、電池電力でモーターにより開閉を目的の製品で、水田が平均1.000ｍ２で水量としては30ｔ〜50tの水量の制御には設備費の負担が多大である。
【０００４】
本発明の目的は、電池電力の要らない水田の自動給水装置を提供することにある。
【課題を解決するための手段】
【０００５】
上記目的を達成するために、本発明は、水田内に連通する取入室と、放水口を連通する出口室と、前記取入口と前記放水室との間を仕切り、前記取入口から前記放水室より水田の水位に至る溢水高さが調整可能である溢水手段と、該溢水手段に機械的に連結し前記溢水高さを変更する駆動手段として、前記溢水手段に連動して前期溢水高さを斜め角度に上下するフロートにより信号として検出する位置検出手段と、前記検出した溢水高さが、水位設定値に相当する溢水高さに達すると前記駆動手段により作動させる水門に取付けの回転式開閉扉とを有することを特徴とする。　
【発明の効果】
【０００６】
本発明は、水田の水位を調整するための装置に係り、特に経年変化が少なく、かつ消耗部品が無くて、休耕田の時期には自宅で保管が簡単に行える、水田の自動給水装置に関する。
【発明を実施するための最良の形態】
【０００７】
以下、本発明の実施の形態を図1〜図5に基づいて説明する。
【０００８】
図3は、本発明が実施した水田の自動給水装置の側面より見た透視図である。水田の自動給水装置は水門部の２回転式開閉扉と、水門部の２回転式開閉扉の後方に５フロートガイドで制御された４フロートから構成されている。
【０００９】
水門部の２回転式開閉扉は図3に示すように、水平断面がほぼ正方形の直方体をなす枠体と、この枠体内に配置された水位調整室とこの水位調整室と連通し水田側に向いた面に設けられた１１放水口と、その反対側の面に設けられた１２取入口とを有する。
【００１０】
図1の状態は側面より見た減水時のフロートの位置の透視図で、4フロートが底板に接し、8可動式扉止は4フロートの重量に押されて9止水板前と7止水板後より下がり、2回転式開閉扉は自由に回転が可能の状態である。
【００１１】
１２給水口より水が流れ込み2回転式開閉扉を通じて水田に水が貯められる。水位が高くなり4フロートが5フロートガイドに導かれ、上昇を始める。
【００１２】
この時、2回転式開閉扉は4フロートの上部に取付た3水位調整板に回転を阻まれ図1の状態。
【００１３】
図２の状態は側面より見た満水時のフロートの位置の透視図で、水田の水位が尚も上昇して満水位置に達する、4フロート５フロートガイドにより上昇と右に後退し、2回転式開閉扉との接触個所が外れ、2回転式開閉扉は1扉移動用翼に水流を受け、回転運動を起こす。
【００１４】
回転終期では、9止水板前と7止水板後の間に位置する8可動式扉止に2回転式開閉扉は阻まれて停止し、水門は完全に閉じられ、給水停止の状態になる。
【００１５】
水田の水位が蒸発・漏水等により水位が下がれば、再度4フロートが５フロートガイドに導かれて、底板に接して6可動式扉止開放金具が8可動式扉止を押し下げ、水門より2回転式開閉扉が開放され、給水動作にうつる。
【図面の簡単な説明】
【００１６】
【図１】側面より見た減水時のフロートの位置の透視図
【図２】側面より見た満水時のフロートの位置の透視図
【図３】水田の自動給水装置の斜視図
【図４】上より見た俯瞰図
【図５】底面より見上げた図
【符号の説明】
【００１７】
1　　扉移動用翼
2　　回転式開閉扉
3　　水位調整板
4　　フロート
5　　フロートガイド
6　　可動式扉止開放金具
7　　止水板後
8　　可動式扉止
9　　止水板前
10　ごみ避け柵・堰止板
11　放水口
12　取入口
【図１】
2004041213.tif 000003
【図２】
2004041213.tif 000004
【図３】
2004041213.tif 000005
【図４】
2004041213.tif 000006
【図５】
2004041213.tif 000007
(57)【要約】【課題】　本発明は、個人それぞれ千差万別の堰の設置方法を、一体の堰を設置することにより安定した堰とした。【解決手段】　本発明は、堰本体が一体であるので先ず堰本体からの漏水がなく、２を土中に差し込むことにより堰の下部からの水漏れが防止でき、３の底板により平らに排水でき、４の側板により雨水による土流の防止と、一度に多量の排水が可能である。本体を上下することにより目的の保水の確保が出来る。軽量であり、収納・保管の際に何枚でも重ねられ保管場所をとらない、構造が簡単なので誰にでも設置することが出来て、農作業の省力化と安全と安心が確保され、水涸れがないので良質米の増収に役立つ。【選択図】　図１
2004041215.tif 000002
【特許請求の範囲】
【請求項１】
　適宜の幅を有する底板と、これに取り付けられた上部を両外側に曲げた側板とで形成し、その前方が下向きにたれ下がり作られていることを特徴とする水位調整堰。
【発明の詳細な説明】
【技術分野】
【０００１】　本発明は、水田の水位を一定に保つための水位調整堰である。
【背景技術】
【０００２】　従来は、耕土を固めて堰とし、或いはビニール袋に土を入れて堰としていた。【０００３】　この改善をするため本発明に至ったのである。
【特許文献１】　特開平１１−２８０２８
【発明の開示】
【発明が解決しようとする課題】
【０００４】　稲作農家にとりまして一番の苦労は、水田に引き入れた水をいかに永く一定の水位に保つことができるかが課題でありまして、朝夕に田の見廻りをして水の保全に努めてきましが年々進む高齢化は大変な重労働となってまいりました、また、若い人たちにとりましても田の見廻りは時間の浪費であり、規模拡大に障害となっています、これらを取り除き解決しようとするものである。
【課題を解決するための手段】
【０００５】　本発明の水田の水位調整堰は、適宜の幅を有する底板と、これに取り付けられた上部を両外側に曲げた側板とで形成し、その前方が下向きにたれ下がり作られていることを特徴とする水位を調整するものである。
【発明の効果】
【０００６】　本発明の水田の水位調整堰は、従来の堰のように個人個人がそれぞれ異なる堰を作っていたのを、一体形成の堰にしたもので誰にでも設置できるので、以下に記載する効果が期待できる。
１、堰本体が一体形成に作られているので強い衝撃が加わっても壊れない。
２、堰本体は底板、側板、土に差し込む部分と、本体全体が土に接しているので安定していて、強い風雨や排水にも緩むことはない。
３、側板上部から土に差し込む部分にかけての曲がりは、この部分を土に差し込むことにより、従来の方法では最も漏水の多い場所で田の見廻りの度ごとに、土を入れるか盛り土をして、漏水を防いでいたが、その浪費は計り知れないものであったが、本発明により長年の苦労が一掃できる。
４、両側板の上部の外側への緩やかな曲がりは降雨の度ごとに両側の土が崩れて堰が埋まり深水となったり、えぐりとられて決壊して、常に補修に追われていたが、曲がりの部分を土に挿すことにより土の崩れるのを防止できる。
５、通常側板は、立ち上がり５ｃｍが望ましく予測外の水入れ口の決壊や、大雨による増水等に対しても、一度に大量の排水も可能である。
６、本体に水及び土に差し込む部分を設けることにより充分漏水防止となるが、更に両端に曲がりをつけたことにより一層水の浸透を防ぐことができる。
【発明の実施するための最良の形態】
【０００７】以下、本発明の実施の形態について説明する。
　添付図面に従って説明する、
１は耐久性のプラスチック等の素材にて一体化形成された堰本体で厚さ３ｍｍが望ましい。
２は水中及び土中まで入る部分で縦１５ｃｍが望ましく横巾は底板と両壁を加えものである。
３は底板の部分で横巾２０ｃｍ、縦〔奥行き〕３０ｃｍが望ましい。
４は３の底板部分の両側に立つ側板で土流防護壁である、双方外向きの同じ角度で立つ、即ち、右側１１０度で５ｃｍ立ち上がり、そこから右に６５度曲がり、３ｃｍのところで６０度で１ｃｍ下がる、左側は７０度で５ｃｍ立ち上がり、そこから左に１１５度曲がり、３ｃｍのところで１２０度で１ｃｍ下がるのが望ましい。なお、角については深く面取りをして曲線状にする、側板は２の延長線上、即ち、底板口の所で２５度分の巾を残し消滅し、頂部の曲線部分と緩やかに下がり、同形状のまま２の両側に付く、２と３の角度は９５度である。なお、３の底板口以外本体全体に面取りをして、全体に丸みをつける。
【実施例１】
【０００８】　実施方法については、先ず、所定の位置に水を保全する高さより本発明の堰の厚みだけやや低めに土を入れ、土は底板の長さ以内でよい、土を平らにしてその上に本発明の堰を排水口を水平に水の落ち口をやや低くして水の流れを緩やかに流れるように設置する。なお、モグラ・鼠等による漏水と農耕機等の接触を防ぐため２を土の中に入れる際に、畔の内面より堰本体が出ないこと、本体は、排水の流れと畔の角度を勘案して９５度に設計されているので、畔の横断面と同じ角度で設置する。
稲の生育にしたがい順次本体を高くするときは、本体を１０ｃｍほど持ち上げ、その下に目的の高さよりやや多くの田の泥土を入れ、上から手で押して目的の位置まで下げる。泥土は左右前後から押し出されて、土と本体が隙間なく密着することにより水の漏れるのを完全に防ぐことができる。
【産業上の利用可能性】
【０００９】　堰についての発明は多種ありますが、そのいずれについても構造が複雑であり、１０アール（１０アール以下でも一枚の田に一ヶ所は必ず必要）収穫される米価に比べてあまりにも高価であるため普及性は皆無に等しく、旧態依然として過労とは知りつつ昔ながらの方法で行なわれていますが、本発明は、一体化形成に作られているので、取り扱いが安全であるので安心である、軽便で安価で設置が容易であるので、お年寄りや男女を問わず誰にでもできるので、利用性は非常に高いと確信しています。
【図面の簡単な説明】
【００１１】
【図１】実施例１本発明の畔に設置した左やや上から見た断面図。
【図２】実施例２本発明の正面図
【符号の説明】
【００１２】１　堰本体
２　水中及び土中に差し込む部分
３　底板
４　側板
５　本発明外対象物、畔
【図１】
2004041215.tif 000003
【図２】
2004041215.tif 000004
(57)【要約】【課題】米と水とを入れる鍋を加熱手段により加熱するジャー炊飯器において、周囲温度などの環境変化に対して鍋の温度が影響されにくくし、効率よく鍋内を理想の温度にする。【解決手段】米と水とを入れる鍋１１を底面から加熱手段１２により加熱し、鍋１１内の温度を温度センサ１３により検知し、筐体の外郭である外枠１４と接合している内枠１５により鍋１１と加熱手段１２とを内包する。この内枠１５の上方部と鍋１１との間に空間を設け、この空間を保温枠１６により仕切り閉鎖空間１７を形成するよう構成する。【選択図】　図１
2004041285.tif 000002
【特許請求の範囲】
【請求項１】
米と水とを入れる鍋と、この鍋を底面から加熱する加熱手段と、前記鍋内の温度を検知する温度センサと、筐体の外郭である外枠と、前記鍋と前記加熱手段とを内包し前記外枠と接合している内枠と、この内枠の上方部と前記鍋との間に空間を設けこの空間を仕切り閉鎖空間を形成する保温枠とを備えたジャー炊飯器。
【発明の詳細な説明】
【０００１】
【発明の属する技術分野】
本発明は、米と水とを入れる鍋を加熱手段により加熱するジャー炊飯器に関するものである。
【０００２】
【従来の技術】
近年のジャー炊飯器は、世帯の核家族化が進み、炊飯してすぐに食べられるものから長時間保温をするものまで食生活も多様化している。また、消費電力に対する関心が高まり、省エネルギなジャー炊飯器を求められることが多くなっている。
【０００３】
従来、この種のジャー炊飯器は図２に示すように構成していた。以下、その構成について説明する。
【０００４】
図２に示すように、鍋１は米と水とを入れており、この鍋１を底面から第１の加熱手段２により加熱する。鍋１内の温度を温度センサ３により検知する。外枠４は筐体の外郭を構成しており、この外枠４に内枠５を接合し、内枠５により鍋１と第１の加熱手段２とを内包している。この内枠５の上方部の外側に保温用の第２の加熱手段６を設け、保温時にはこの第２の加熱手段６と第１の加熱手段２を動作させることによって約７０℃の保温温度に維持するようにしている。
【０００５】
【発明が解決しようとする課題】
しかしながら、このような従来の構成では、気温等の環境変化に対し影響を受けやすく、炊飯時や保温時にその影響をなくすために多くの電力を消費してしまう。また、第２の加熱手段６を動作させてもこの周囲のみ加熱し、鍋１全体を温度保持することができず、その結果、鍋１内のご飯に対し均一に温度を設定することが難しいという問題を有していた。
【０００６】
本発明は上記従来の課題を解決するもので、周囲温度などの環境変化に対して鍋の温度が影響されにくくし、効率よく鍋内を理想の温度にすることを目的としている。
【０００７】
【課題を解決するための手段】
本発明は上記目的を達成するために、米と水とを入れる鍋を底面から加熱手段により加熱し、鍋内の温度を温度センサにより検知し、筐体の外郭である外枠と接合している内枠により鍋と加熱手段とを内包し、この内枠の上方部と鍋との間に空間を設け、この空間を保温枠により仕切り閉鎖空間を形成するよう構成したものである。
【０００８】
これにより、内枠と保温枠とで形成した閉鎖空間による断熱効果により、周囲温度などの環境変化に対して鍋の温度が影響されにくくすることができ、効率よく鍋内を理想の温度にすることができる。
【０００９】
【発明の実施の形態】
本発明の請求項１に記載の発明は、米と水とを入れる鍋と、この鍋を底面から加熱する加熱手段と、前記鍋内の温度を検知する温度センサと、筐体の外郭である外枠と、前記鍋と前記加熱手段とを内包し前記外枠と接合している内枠と、この内枠の上方部と前記鍋との間に空間を設けこの空間を仕切り閉鎖空間を形成する保温枠とを備えたものであり、内枠と保温枠とで形成した閉鎖空間による断熱効果により、周囲温度などの環境変化に対して鍋の温度が影響されにくくすることができ、効率よく鍋内を理想の温度にすることができる。
【００１０】
【実施例】
以下、本発明の一実施例について、図面を参照しながら説明する。
【００１１】
図１に示すように、鍋１１は米と水とを入れており、この鍋１１を底面から加熱手段１２により加熱する。鍋１１内の温度を温度センサ１３により検知する。外枠１４は筐体の外郭を構成しており、この外枠１４に内枠１５を接合し、内枠１５により鍋１１と加熱手段１２とを内包している。
【００１２】
保温枠１６は内枠１５の上方部と鍋１１との間に空間を設け、この空間を仕切り閉鎖空間１７にするものであり、この保温枠１６によって気温等の環境変化に対して鍋１１の温度が影響されにくくしている。上枠１８は外枠１４と内枠１５と保温枠６とを接触させないで接続させるものである。
【００１３】
上記構成において動作を説明する。炊飯には前炊き工程、炊き上げ工程、沸騰維持工程、蒸らし工程とあり、その後、保温工程へと進む。この内、比較的低温（約５０℃）で温度を維持する前炊き工程では、鍋１１の底部に与えた熱が鍋１１内にとどまらず、上部から熱が逃げた場合影響が大きい。
【００１４】
そこで、内枠１５の上方部と鍋１１との間に保温枠１６によって空間を仕切り、閉鎖空間１７にすることで与えた熱を効率よく鍋１１内の水と米に与えることができる。また、比較的高温で炊飯する炊き上げ工程から蒸らし工程においても、熱効率の向上が期待できる。また、保温工程では、鍋１１内を長時間一定温度（約７０℃）に維持する必要があり、この場合も保温枠１６によって空間を仕切り、閉鎖空間１７にすることで、与えた熱を効率よく鍋１１内のご飯に与えることができる。
【００１５】
さらに、構成材料として、外枠１４には樹脂または金属、内枠１５には鉄または樹脂、鍋１１にはアルミニウムまたはステンレス鋼との合金を使うことが多い。そこで、保温枠１６をステンレス鋼等の手入れ性のよいものにすれば、内枠１５すべてステンレス鋼にすることに比べ、鍋１１内の清掃のしやすさや見た目の美しさも安価に実現できる。上枠１８には樹脂などの熱伝導率の低いものを使用し、外枠１４や内枠１５からの放熱を防ぐ。
【００１６】
以上の実施例では、加熱手段１２はヒータでもインダクションヒータ（ＩＨ）でも実現できる。また、保温枠１６は内枠１５と直接接触しない構成であれば、より放熱を防ぐことができる。
【００１７】
【発明の効果】
以上のように本発明の請求項１に記載の発明によれば、米と水とを入れる鍋と、この鍋を底面から加熱する加熱手段と、前記鍋内の温度を検知する温度センサと、筐体の外郭である外枠と、前記鍋と前記加熱手段とを内包し前記外枠と接合している内枠と、この内枠の上方部と前記鍋との間に空間を設けこの空間を仕切り閉鎖空間を形成する保温枠とを備えたから、内枠と保温枠とで形成した閉鎖空間による断熱効果により、周囲温度などの環境変化に対して鍋の温度が影響されにくくすることができ、効率よく鍋内を理想の温度にすることができて、おいしいご飯を炊くことができ、さらに省エネルギのジャー炊飯器を安価にて提供できる。
【図面の簡単な説明】
【図１】本発明の一実施例のジャー炊飯器の断面図
【図２】従来のジャー炊飯器の断面図
【符号の説明】
１１　鍋
１２　加熱手段
１３　温度センサ
１４　外枠
１５　内枠
１６　　保温枠
１７　閉鎖空間
【図１】
2004041285.tif 000003
【図２】
2004041285.tif 000004
(57)【要約】【課題】従来のクモの巣取り機は、目に見えない狭い隙間や奥深い場所に巣作っているクモの巣やクモの卵の撤去、さらには庭木に枯葉とからみつくように細部にわたって覆っているクモの巣の撤去は困難であった。【解決手段】充電式ドライバードリル（替刃式）の先に、ピアノ線の先端にビニールチューブを差し込んだ本体を取り付け、ピアノ線が回転することによって、ビニールチューブに巻きついてくるクモの糸が粘着層を作ることと、本体の回転運動により、細いピアノ線が自在に狭い隙間に胃カメラのように進入してクモの巣を取ることが出来る。【選択図】　図１
2004041077.tif 000002
【特許請求の範囲】
【請求項１】
充電式ドライバードリル（替刃式）の先に、ピアノ線の先端にチューブを差し込んだ本体を取り付け、ピアノ線が回転することによって、チューブに巻きついてくるクモの糸が粘着層を作り、わたがしを作るようにクモの巣を巻き取ることを特徴とするクモの巣巻き取り金具。
【請求項２】
充電式ドライバードリル（替刃式）の先に、ピアノ線の先端にビニールチューブを差し込んだ本体を取り付け、ピアノ線が回転することによって、ビニールチューブに巻きついてくるクモの糸が粘着層を作ることと、細いピアノ線が自在に狭い隙間や目に見えない場所まで胃カメラのように進入していくことを利用して、今まで取れなかった狭い隙間や目の届かない奥深い場所のクモの巣やクモの卵までも、撤去することを特徴とする請求項１記載のクモの巣取り金具。
【請求項３】
充電式ドライバードリル（替刃式）の先に、ピアノ線の先端にビニールチューブを差し込んだ本体を取り付け、ピアノ線が回転することによって、ビニールチューブに巻きついてくるクモの糸が粘着層を作ることと、本体全体が回転運動するため、細いピアノ線が自在に狭い隙間や目に見えない場所まで胃カメラのように進入していくことを利用して、庭木に枯葉とからみつくように細部にわたって覆っているクモの巣の撤去、さらには木の穴に奥深く巣作っているクモの巣、毛虫、その他の害虫の巣までも撤去することを特徴とする請求項２記載のクモの巣取り金具。
【発明の詳細な説明】
【０００１】
【発明の属する技術分野】
この発明は、クモの巣を取る道具の形状に関する。
【０００２】
【従来の技術】
従来のクモの巣取り機は、図３に示すように、モーターと電池を組み込んだ本体（１．５Ｍ〜２．０Ｍ）ａの先端にクモの巣取りスティック（１０ＣＭ〜１５ＣＭ）ｂを取り付け、それを回転することによってクモの巣を取っていた。
【０００３】
【発明が解決しようとする課題】
しかしながら、以上の従来技術によれば、目に見えない狭い隙間や奥深い場所に巣作っているクモの巣や卵の撤去はむずかしく、さらに庭木に枯葉とからみつくように細部にわたって覆っているクモの巣の撤去は困難であった。
そこでこの発明は、ピアノ線が回転することによってチューブに巻きついてくるクモの糸が粘着層を作ることと、本体全体が回転運動するため、細いピアノ線が自在に狭い隙間や目に見えない場所まで胃カメラのように進入していくことを利用して、クモの巣を巻き取っていく方法を提供することを課題とする。
【０００４】
【課題を解決するための手段】
以上の課題を解決するために、請求項１の発明は、充電式ドライバードリル（替刃式）の先に、ピアノ線の先端にチューブを差し込んだ本体を取り付け、ピアノ線が回転することによって、チューブに巻きついてくるクモの糸が粘着層を作り、わたがしを作るようにクモの巣を巻き取ることを特徴とするクモの巣巻き取り金具である。
また、請求項２の発明は、充電式ドライバードリル（替刃式）の先に、ピアノ線の先端にビニールチューブを差し込んだ本体を取り付け、ピアノ線が回転することによって、ビニールチューブに巻きついてくるクモの糸が粘着層を作ることと、細いピアノ線が自在に狭い隙間や目に見えない場所まで胃カメラのように進入していくことを利用して、今まで取れなかった狭い隙間や目の届かない奥深い場所のクモの巣や卵までも、撤去することを特徴とする請求項１記載のクモの巣取り金具である。
また、請求項３の発明は、充電式ドライバードリル（替刃式）の先に、ピアノ線の先端にビニールチューブを差し込んだ本体を取り付け、ピアノ線が回転することによって、ビニールチューブに巻きついてくるクモの糸が粘着層を作ることと、本体全体が回転運動するため、細いピアノ線が自在に狭い隙間や目に見えない場所まで胃カメラのように進入していくことを利用して、庭木に枯葉とからみつくように細部にわたって覆っているクモの巣の撤去、さらには木の穴に奥深く巣作っているクモの巣、毛虫、その他の害虫の巣までも撤去することを特徴とする請求項２記載のクモの巣巻き取り金具である。
【０００５】
【発明の実施の形態】
この発明の一実施形態を、図１、図２に示す。
クモの巣巻き取り金具の本体１はピアノ線（φ３ｍｍ）で長さ１１５ｃｍとし、その先端にナイロンチューブ（内径３ｍｍ、外形６ｍｍ）２を長さ４０ｃｍにして差し込み、取りはずし可能とする。
この本体を充電式ドライバードリル（替刃式）に取り付ける。
「実施形態の効果」
この実施形態によれば、ピアノ線が回転することによって、ビニールチューブに巻きついてくるクモの糸が粘着層を作り、わたがしを作るようにクモの巣を巻き取ることが出来、本体全体が回転運動するため、細いピアノ線が自在に狭い隙間や目に見えない場所まで胃カメラのように進入して今までとることが出来なかった場所のクモの巣も取ることが出来る。。
「他の実施形態」
図１、図２の実施形態では、チューブの長さを４０ｃｍとしたが、他の実施形態では、クモの巣を取る場所により長さを調整しても良い。
【０００６】
【発明の効果】
以上説明したように、この発明によれば、本体に細いピアノ線とその先端にナイロンチューブを差し込んで、この本体を充電式ドライバードリル（替刃式）に取り付け、本体全体が回転運動することによって、チューブに巻きついてくるクモの糸が粘着層を作ることと、細いピアノ線が自在に狭い隙間や目に見えない場所まで胃カメラのように進入していくことにより今まで取れなかった場所のクモの巣や庭木に枯葉とからみつくように細部にわたって覆っているクモの巣の撤去、さらには木の穴に奥深く巣作っているクモの巣、毛虫、その他の害虫の巣までも簡単に撤去することが出来る。
【図面の簡単な説明】
【図１】この発明の一実施形態が示す斜視図である。
【図２】この発明の一実施形態が示す斜視図である。
【図３】従来技術を示す斜視図である。
【符号の説明】
１　ピアノ線
２　ナイロンチューブ
ａ　本体
ｂ　スティック
【図１】
2004041077.tif 000003
【図２】
2004041077.tif 000004
【図３】
2004041077.tif 000005
(57)【要約】【課題】うどん麺において、混入させたルチンが温水と接触する面積が極力小さくなるようにすること【解決手段】ルチンを混入させた麺帯Ａの両側にルチンを含有させない麺帯Ｂを重合し、一体化させた複層麺を細幅に裁断したこと【図面】なし【特許請求の範囲】
【請求項１】
ルチンを混入させた麺帯Ａの両側にルチンを含有させない麺帯Ｂを重合して一体化させた複層麺を細幅に裁断してなるうどん麺。
【請求項２】
麺帯Ａにルチンを２〜３．５　重量％混入させた請求項１に記載のうどん麺。
【発明の詳細な説明】
【０００１】
【技術分野】
本発明は、ルチンを混入させたうどん麺に関するものである。
【０００２】
【従来技術とその問題点】
一般に麺類は、喫食が容易であるために、老若男女を問わずに親しまれている食品であるが、麺類の汁には塩分が多く含まれていて、これが高血圧の原因となる可能性が指摘されている。
うどん麺は、中力粉などの腰の強い小麦粉を塩水で捏ねて帯状に延ばし、これを細幅に裁断して形成した食品である。タンパク質、灰分を多く含み、ビタミンＡ、Ｂ１、Ｂ２などが強化された小麦粉が使用されているが、成人病を予防するための成分はほとんど強化されていない。
同じ麺類であっても、和そばには、ビタミンの他、成人病対策に有効なルチンが豊富に含まれている。このルチンは、配糖体の一種で、毛細血管の伸縮性を高め、各種出血性症治療や高血圧・脳内出血の予防などに有効とされており、喫食によって成人病対策が図れることになる。
【０００３】
広く親しまれているうどん麺についても和そばと同様の効果を持つようにすることが期待されている。
しかしながら、単純に小麦粉にルチンを添加してうどん麺を形成し、成人病対策を行おうとしても、ルチンは温水に容易に溶解する性質を持っているため、麺を湯掻く途中に湯水の中に溶出してしまい、摂取効率が極めて悪くなる不都合がある。
溶出を前提として、多量にルチンを添加することも考えられるが、ルチンは高価な素材であるから、うどん麺の単価を上昇させてしまい、庶民の楽しみを奪う結果を招来するおそれがある。
【０００４】
【技術的課題】
本発明は、うどん麺において、混入させたルチンが温水と接触する面積が極力小さくなるようにすることを課題としたものである。
【０００５】
【技術的手段】
この技術的課題を解決するための技術的手段は、（イ）ルチンを混入させた麺帯Ａの両側にルチンを含有させない麺帯Ｂを重合し、（ロ）一体化させた複層麺を細幅に裁断したこと、である。
【０００６】
ルチンを混入させた麺帯Ａの両側にルチンを含有させない麺帯Ｂが重合させられ、その帯を裁断してうどん麺が形成されているから、麺を湯掻く際に、麺帯Ａの表裏両面が湯水に接触することはない。
ルチンが温水と接触するのは、麺帯Ａの側面において線状に露出した部分においてのみである。ルチンは小麦粉に練り込まれているため、側面に露出しているルチンが溶出しても、他のルチンは小麦粉によってガードされることになるため、麺帯Ａから喪失するルチンの量は極めて僅かなものとなる。
【０００７】
麺帯Ａに対するルチンの混入量は、２〜３．５　重量％程度でよい。２重量％より少ないと効果を期待できない。また、ルチンは高価な素材であるため、混入による大幅な高価を期待できない以上、多量に添加することは無意味であり、３．５　重量％より多く添加しても、費用対効果を満足させることはできない。
【０００８】
【本発明の効果】
温水との接触面積を極力小さくしてルチンを混入できる結果、ルチンの湯水への溶出量を最小限にくい止めることができ、効率よく摂取して和そばと同様の成人病予防効果を期待することができる。
【０００９】
【実施の形態】
次に、本発明に係るうどん麺を製造する具体例を説明する。
ルチンを混合させる麺帯Ａは、中力粉のみを使用してこれにルチンを２重量％添加し、捏ねた後帯状に成形してロールに巻き取っておく。このルチンは、そばの葉及び茎を乾燥させて粉末に加工したものであり、若干黄味がかった色をしている。
他方、麺帯Ｂは、本実施例においては、中力粉と強力粉とを６：４の割合で使用して麺の腰が強くなるように仕上げている。捏ねた後帯状に成形してこれも２本のロールに巻き取っておく。
【００１０】
麺帯の状態で少なくとも１時間程度ねかせた後、麺帯Ａの両側に麺帯Ｂを重ね合わせ、その状態で２本のロール間を通過させ、厚みの調整を行うと共に三枚の麺帯を一体化させた積層麺帯を形成する。この麺帯を一旦ロールに巻き取り、その後適宜の長さ及び幅に裁断してうどん麺を形成した。
【００１１】
上記の実施形態では、３層麺となっているが、いずれかの麺帯Ｂの外側に麺帯Ａ及びＢを積層して５層麺にするなど、適宜麺帯ＡＢ層を追加しても良い。
麺の固さは好みに応じて選択され、中力粉及び強力粉などの小麦粉の種類、それらの配合割合、水や塩分の量などにおいても適宜選択されることになる。
また、積層させた麺帯は、上記実施例では一旦ロールに巻き取っているが、積層一体化させた後、そのまま裁断するようにしても良い。